(57)【要約】      （修正有）【課題】十分な剛性を確保しつつ、ベッド質量及び製造コストを低減する折畳みベッドを提供する。【解決手段】第１寝台部２Ａと第２寝台部２Ｂとが折畳み可能に連結された折畳みベッド１である。第１寝台部２Ａは、第１マット部５Ａと第１ベッド枠６Ａとを含む。第２寝台部２Ｂは、第２マット部５Ｂと第２ベッド枠６Ｂとを含む。第１、第２マット部５Ａ、５Ｂは、一対の縦材１１と一対の横材１２とを含む剛性フレーム枠８を有する。第１、第２ベッド枠６Ａ、６Ｂは、ベッド幅方向の両側でベッド長さ方向にのびかつ互いに連結されていない一対の縦枠材１３、１３と、縦枠材１３の外端１３ｏ側で連結される端側脚１４とを含む。一対の縦枠材１３、１３に剛性フレーム枠８を跨らせて固着する。【選択図】図１
0003175230.tif 000002
【実用新案登録請求の範囲】
【請求項１】
ベッド長さ方向の一端側に配置される第１寝台部、ベッド長さ方向の他端側に配置される第２寝台部、及び前記第１寝台部と前記第２寝台部とを互いに連結する連結部を有し、
前記第１寝台部と前記第２寝台部とが水平に展開される展開状態、及び略逆Ｖ字状に折り畳まれる収納状態の間で折畳み可能に連結された折畳みベッドであって、
前記第１寝台部は、就寝者の上半身側が載置される第１マット部と、この第１マット部を支持する第１ベッド枠とを含み、
前記第２寝台部は、就寝者の下半身側が載置される第２マット部と、この第２マット部を支持する第２ベッド枠とを含み、
前記第１マット部及び前記第２マット部は、それぞれ、ベッド幅方向両側でベッド長さ方向にのびる一対の縦材と、この一対の縦材の間を継いでベッド幅方向にのびる一対の横材とを含む平面視略矩形状の剛性フレーム枠を含み、
前記第１ベッド枠及び前記第２ベッド枠は、それぞれ、ベッド幅方向の両側でベッド長さ方向にのびかつ互いに連結されていない一対の縦枠材と、前記縦枠材のベッド長さ方向の外端側で該縦枠材と回動自在に連結されかつ下方にのびる端側脚とを含み、
しかも、前記一対の縦枠材に前記剛性フレーム枠を跨らせて固着することを特徴とする折畳みベッド。
【請求項２】
前記連結部は、前記第１ベッド枠の前記縦枠材と、前記第２ベッド枠の前記縦枠材とが向き合う各内端を前記折り畳み可能に連結する一対の枢結部と、該一対の枢結部を連結するとともに下方にのびて床面に接地する一対の中間脚とを具え、
前記第１寝台部の前記端側脚と前記中間脚との間には、前記第１ベッド枠の前記縦枠材と実質的に平行にのびる第１リンクが掛け渡され、
前記第２寝台部の前記端側脚と前記中間脚との間には、前記第２ベッド枠の前記縦枠材と実質的に平行にのびる第２リンクが掛け渡される請求項１記載の折畳みベッド。
【請求項３】
前記第１リンク及び前記第２リンクは、バネ弾性を有しないロッドからなる請求項２記載の折畳みベッド。
【請求項４】
前記中間脚は、前記一対の枢結部からそれぞれベッド幅方向内側にのびる横部分と、該横部分に連なりかつ下方にのびる縦部分とが滑らかな円弧で接続された曲げ材からなる一対の中間脚本体、及び該中間脚本体の前記縦部分を継ぐ継ぎ材からなる請求項２又は３記載の折畳みベッド。
【請求項５】
前記端側脚は、前記縦枠材から下方にのびる縦部分と、該縦部分の下部に連結されて水平にのびる横部分とを有する逆Ｔ字状の一対の端側脚本体、及び該一対の端側脚本体の前記縦部分間を継ぐ継ぎ材からなる請求項２乃至４のいずれかに記載の折畳みベッド。
【請求項６】
前記横部分の両端には、ベッド長さ方向にのみ転動する車輪が回動自在に枢支されている請求項５記載の折畳みベッド。
【考案の詳細な説明】
【技術分野】
【０００１】
本考案は、十分な剛性を確保しつつ、ベッド質量及び製造コストを低減しうる折畳みベッドに関する。
【背景技術】
【０００２】
従来、就寝者の上半身と下半身とがそれぞれ載置される一対の寝台部が、略逆Ｖ字状に折り畳み可能に連結された折畳みベッドが知られている（例えば、下記特許文献１参照）。このような折畳みベッドは、コンパクトに折り畳んで収納できるため、部屋のスペースを有効に活用できる。
【先行技術文献】
【特許文献】
【０００３】
【特許文献１】特開２００５−１５２２３４号公報
【考案の概要】
【考案が解決しようとする課題】
【０００４】
しかしながら、上記のような折畳みベッドは、例えば、多数の金属製の枠材等から構成されるため、ベッド質量や製造コストが増大しやすいという問題があった。
【０００５】
本考案は、以上のような実状に鑑み案出されたもので、互いに連結されていないベッド枠の一対の縦枠材に、マット部の剛性フレーム枠を跨らせて固着することを基本として、十分な剛性を確保しつつ、ベッド質量及び製造コストを低減しうる折畳みベッドを提供することを主たる目的としている。
【課題を解決するための手段】
【０００６】
本考案のうち請求項１記載の考案は、ベッド長さ方向の一端側に配置される第１寝台部、ベッド長さ方向の他端側に配置される第２寝台部、及び前記第１寝台部と前記第２寝台部とを互いに連結する連結部を有し、前記第１寝台部と前記第２寝台部とが水平に展開される展開状態、及び略逆Ｖ字状に折り畳まれる収納状態の間で折畳み可能に連結された折畳みベッドであって、前記第１寝台部は、就寝者の上半身側が載置される第１マット部と、この第１マット部を支持する第１ベッド枠とを含み、前記第２寝台部は、就寝者の下半身側が載置される第２マット部と、この第２マット部を支持する第２ベッド枠とを含み、前記第１マット部及び前記第２マット部は、それぞれ、ベッド幅方向両側でベッド長さ方向にのびる一対の縦材と、この一対の縦材の間を継いでベッド幅方向にのびる一対の横材とを含む平面視略矩形状の剛性フレーム枠を含み、前記第１ベッド枠及び前記第２ベッド枠は、それぞれ、ベッド幅方向の両側でベッド長さ方向にのびかつ互いに連結されていない一対の縦枠材と、前記縦枠材のベッド長さ方向の外端側で該縦枠材と回動自在に連結されかつ下方にのびる端側脚とを含み、しかも、前記一対の縦枠材に前記剛性フレーム枠を跨らせて固着することを特徴とする。
【０００７】
また、請求項２記載の考案は、前記連結部は、前記第１ベッド枠の前記縦枠材と、前記第２ベッド枠の前記縦枠材とが向き合う各内端を前記折り畳み可能に連結する一対の枢結部と、該一対の枢結部を連結するとともに下方にのびて床面に接地する一対の中間脚とを具え、前記第１寝台部の前記端側脚と前記中間脚との間には、前記第１ベッド枠の前記縦枠材と実質的に平行にのびる第１リンクが掛け渡され、前記第２寝台部の前記端側脚と前記中間脚との間には、前記第２ベッド枠の前記縦枠材と実質的に平行にのびる第２リンクが掛け渡される請求項１記載の折畳みベッドである。
【０００８】
また、請求項３記載の考案は、前記第１リンク及び前記第２リンクは、バネ弾性を有しないロッドからなる請求項２記載の折畳みベッドである。
【０００９】
また、請求項４記載の考案は、前記中間脚は、前記一対の枢結部からそれぞれベッド幅方向内側にのびる横部分と、該横部分に連なりかつ下方にのびる縦部分とが滑らかな円弧で接続された曲げ材からなる一対の中間脚本体、及び該中間脚本体の前記縦部分を継ぐ継ぎ材からなる請求項２又は３記載の折畳みベッドである。
【００１０】
また、請求項５記載の考案は、前記端側脚は、前記縦枠材から下方にのびる縦部分と、該縦部分の下部に連結されて水平にのびる横部分とを有する逆Ｔ字状の一対の端側脚本体、及び該一対の端側脚本体の前記縦部分間を継ぐ継ぎ材からなる請求項２乃至４のいずれかに記載の折畳みベッドである。
【００１１】
また、請求項６記載の考案は、前記横部分の両端には、ベッド長さ方向にのみ転動する車輪が回動自在に枢支されている請求項５記載の折畳みベッドである。
【考案の効果】
【００１２】
本考案の折畳みベッドは、ベッド長さ方向の一端側に配置される第１寝台部、ベッド長さ方向の他端側に配置される第２寝台部、及び前記第１寝台部と前記第２寝台部とを互いに連結する連結部を有する。これらの第１寝台部及び第２寝台部は、水平に展開される展開状態と、略逆Ｖ字状に折り畳まれる収納状態との間で折畳み可能に連結される。
【００１３】
また、第１寝台部は、就寝者の上半身側が載置される第１マット部と、この第１マット部を支持する第１ベッド枠とを含む。一方、第２寝台部は、就寝者の下半身側が載置される第２マット部と、この第２マット部を支持する第２ベッド枠とを含む。
【００１４】
第１マット部及び前記第２マット部は、それぞれ、ベッド幅方向両側でベッド長さ方向にのびる一対の縦材と、この一対の縦材の間を継いでベッド幅方向にのびる一対の横材とを含む平面視略矩形状の剛性フレーム枠を含む。
【００１５】
また、第１ベッド枠及び前記第２ベッド枠は、それぞれ、ベッド幅方向の両側でベッド長さ方向にのびかつ互いに連結されていない一対の縦枠材と、前記縦枠材のベッド長さ方向の外端側で該縦枠材と回動自在に連結されかつ下方にのびる端側脚とを含む。
【００１６】
さらに、一対の縦枠材には、剛性フレーム枠が跨って固着される。これにより、本考案の折畳みベッドは、従来の折畳みベッドのように、一対の縦枠材間を継ぐ横材を設けることなく、各寝台部の剛性を確保できる。従って、本考案の折畳みベッドは、部品点数を削減でき、ひいては、ベッド質量及び製造コストを低減しうる。
【図面の簡単な説明】
【００１７】
【図１】本考案の折畳みベッドを示す分解斜視図である。
【図２】その展開状態の側面図である。
【図３】その収納状態の側面図である。
【図４】第１マット部及び前記第２マット部の拡大図である。
【図５】端側脚の拡大図である。
【図６】連結部の拡大図である。
【図７】折畳み・展開操作を示す側面図である。
【考案を実施するための形態】
【００１８】
以下、本考案の実施の一形態が図面に基づき説明される。
図１に示されるように、本実施形態の折畳みベッド（以下、単に「ベッド」ということがある。）１は、ベッド長さ方向の一端側Ｓ１に配置される第１寝台部２Ａ、ベッド長さ方向の他端側Ｓ２に配置される第２寝台部２Ｂ、及び第１寝台部２Ａと第２寝台部２Ｂとを互いに連結する連結部３を有する。これらの第１寝台部２Ａ及び第２寝台部２Ｂは、水平に展開される展開状態（図２に示す）と、略逆Ｖ字状に折り畳まれる収納状態（図３に示す）との間で、折畳み可能に連結される。
【００１９】
前記第１寝台部２Ａは、就寝者の上半身側が主に載置される第１マット部５Ａと、この第１マット部５Ａを支持する第１ベッド枠６Ａとが設けられる。一方、第２寝台部２Ｂは、就寝者の下半身側が主に載置される第２マット部５Ｂと、この第２マット部５Ｂを支持する第２ベッド枠６Ｂとが設けられる。
【００２０】
図４に拡大して示されるように、前記第１マット部５Ａ及び前記第２マット部５Ｂには、図１に示す第１ベッド枠６Ａ及び第２ベッド枠６Ｂにそれぞれ固着される剛性フレーム枠８、該剛性フレーム枠８の上面側で固着される軟質のマット体９、及び該剛性フレーム枠８と該マット体９とを包囲するカバー１０がそれぞれ含まれる。
【００２１】
前記剛性フレーム枠８は、第１マット部５Ａを構成する第１剛性フレーム枠８Ａと、第２マット部５Ｂを構成する第２剛性フレーム枠８Ｂとを含む。
【００２２】
これらの第１、第２剛性フレーム枠８Ａ、８Ｂは、ベッド幅方向両側で、ベッド長さ方向にのびる一対の縦材１１、１１と、この一対の縦材１１、１１の間を継いでベッド幅方向にのびる一対の横材１２、１２とを含み、平面視略矩形状に形成される。これらの縦材１１及び横材１２は、例えば、断面略円形状の金属管から形成される。
【００２３】
さらに、第１剛性フレーム枠８Ａ及び第２剛性フレーム枠８Ｂには、一対の縦材１１、１１と一対の横材１２、１２とが囲む空間内に、マット体９を支持する桟材１５ａやネット材１５ｂ等の保持具１５が設けられる。
【００２４】
本実施形態の第１剛性フレーム枠８Ａの縦材１１、１１は、一端側Ｓ１に配される一方の縦材１１ａ、他端側Ｓ２に配される他方の縦材１１ｂ、及び該一方の縦材１１ａと該他方の縦材１１ｂとを連結するリクライニング機構１１ｃを含む。このリクライニング機構１１ｃは、例えばラチェット式のものが採用される。
【００２５】
また、一方の縦材１１ａ及び他方の縦材１１ｂのうち、他方の縦材１１ｂのみが第１ベッド枠６Ａ（図１に示す）に固着される。これにより、第１剛性フレーム枠８Ａは、一方の縦材１１ａを、他方の縦材１１ｂに対して所定の角度で保持できるため、図２に示されるように、就寝者の頭部の高さを調節できる。
【００２６】
図４に示されるように、前記マット体９は、第１剛性フレーム枠８Ａに固着される第１マット体９Ａと、第２剛性フレーム枠８Ｂに固着される第２マット体９Ｂとから構成される。
【００２７】
これらの第１、第２マット体９Ａ、９Ｂは、例えば、平面視略矩形状に形成され、第１、第２剛性フレーム枠８Ａ、８Ｂに、接着剤やボルト等の固着具（図示省略）によって、それぞれ固定される。また、第１、第２マット体９Ａ、９Ｂには、例えば、ポリエチレン、ポリ塩化ビニル、又はポリウレタン等の軟質かつ非吸湿性のものが好適に採用できる。
【００２８】
前記カバー１０は、第１マット部５Ａを構成する第１カバー１０Ａと、第２マット部５Ｂを構成する第２カバー１０Ｂとを含む。
【００２９】
これらの第１、第２カバー１０Ａ、１０Ｂは、各第１、第２剛性フレーム枠８Ａ、８Ｂと各第１、第２マット体９Ａ、９Ｂとがそれぞれ一体となった状態で、これらの外表面の少なくとも一部、本実施形態では全体を包囲する布材からなる。このようなカバー１０Ａ、１０Ｂは、各剛性フレーム枠８Ａ、８Ｂ及び第１、第２マット体９Ａ、９Ｂを隠蔽でき、ベッドの美観性を向上しうる。
【００３０】
図１及び図２に示されるように、前記第１ベッド枠６Ａ及び前記第２ベッド枠６Ｂは、それぞれ、ベッド幅方向の両側に配される一対の縦枠材１３、１３と、前記縦枠材１３、１３のベッド長さ方向の外端１３ｏ、１３ｏ側に連結されかつ下方にのびる端側脚１４とを含む。
【００３１】
前記一対の縦枠材１３、１３は、第１ベッド枠６Ａを構成する一対の第１縦枠材１３Ａ、１３Ａと、第２ベッド枠６Ｂを構成する一対の第２縦枠材１３Ｂ、１３Ｂとを含む。これらの一対の第１縦枠材１３Ａ、１３Ａ及び一対の第２縦枠材１３Ｂ、１３Ｂは、それぞれ、ベッド長さ方向にのび、かつベッド幅方向で互いに連結されていない。
【００３２】
図５に示されるように、各第１、第２縦枠材１３Ａ、１３Ｂは、上側を向く上面１３ａ、下側を向く下面１３ｂ、及び上面１３ａと下面１３ｂとを継ぐ一対の側面１３ｃ、１３ｃを有する断面略矩形の金属管から形成される。
【００３３】
また、第１、第２縦枠材１３Ａ、１３Ｂには、前記外端１３ｏ、１３ｏ側に、一対の側面１３ｃ、１３ｃ間をベッド幅方向で貫通する外側孔部１３ｅ、１３ｅがそれぞれ設けられる。さらに、図６に示されるように、第１、第２縦枠材１３Ａ、１３Ｂには、互いに向き合う各内端１３ｉ、１３ｉ側に、一対の側面１３ｃ、１３ｃ間をベッド幅方向で貫通する内側孔部１３ｇ、１３ｇがそれぞれ設けられる。
【００３４】
図１及び図２に示されるように、一対の第１縦枠材１３Ａ、１３Ａには、第１剛性フレーム枠８Ａが、ベッド幅方向に跨って配置される。そして、第１縦枠材１３Ａと第１剛性フレーム枠８Ａの縦材１１とが例えばボルト等の固着具（図示省略）によって強固に固定される。
【００３５】
さらに、一対の第２縦枠材１３Ｂ、１３Ｂにも、第２剛性フレーム枠８Ｂがベッド幅方向に跨って強固に固着される。
【００３６】
これにより、一対の第１縦枠材１３Ａ、１３Ａ及び一対の第２縦枠材１３Ｂ、１３Ｂは、第１、第２剛性フレーム枠８Ａ、８Ｂにそれぞれ一体に固着されるため、従来のベッドのように、各一対の縦枠材１３Ａ、１３Ａ及び１３Ｂ、１３Ｂ間を継ぐ横材を設けることなく、各寝台部２Ａ、２Ｂの十分な剛性を確保できる。従って、本考案のベッド１は、部品点数を削減でき、ひいては、ベッド質量及び製造コストを低減しうる。
【００３７】
前記端側脚１４は、第１縦枠材１３Ａの前記外端１３ｏ側に配される第１端側脚１４Ａと、第２縦枠材１３Ｂの前記外端１３ｏ側に配される第２端側脚１４Ｂが含まれる。
【００３８】
図５に示されるように、前記第１端側脚１４Ａ及び前記第２端側脚１４Ｂは、各第１、第２縦枠材１３Ａ、１３Ｂにそれぞれ連結される一対の端側脚本体１７、１７と、該一対の端側脚本体１７、１７間を継ぐ継ぎ材１８とからなる。
【００３９】
前記各端側脚本体１７は、各第１、第２縦枠材１３Ａ、１３Ｂから下方にのびる縦部分２１と、該縦部分２１の下部に連結されて水平にのびる横部分２２とを有し、逆Ｔ字状に形成される。
【００４０】
前記縦部分２１は、例えば、断面略楕円形状の金属筒からなり、その上部にベッド幅方向に貫通する孔部２１ｈが設けられる。この孔部２１ｈは、縦部分２１のベッド長さ方向の外端１３ｏ側に偏って配置される。
【００４１】
また、孔部２１ｈには、第１、第２縦枠材１３Ａ、１３Ｂの各外側孔部１３ｅとともに、ボルト２３ａ及びナット２３ｂ等からなる水平軸２３が挿通される。これにより、縦部分２１は、第１、第２縦枠材１３Ａ、１３Ｂに、水平軸回りに回動可能に連結される。従って、端側脚本体１７は、床面への接地を維持したまま、前記展開状態（図２に示す）と前記収納状態（図３に示す）との間で、縦枠材１３を水平軸回りに回動させることができる。
【００４２】
さらに、第１端側脚１４Ａの縦部分２１は、第１縦枠材１３Ａのベッド幅方向外側で連結されるとともに、第２端側脚１４Ｂの縦部分２１が、第２縦枠材１３Ｂのベッド幅方向内側で連結される。これにより、第１、第２端側脚１４Ａ、１４Ｂは、ベッド幅方向で位置ずれして配置されるため、前記収納状態（図３に示す）において、互いに衝突するのを抑制できる。
【００４３】
また、本実施形態では、第１端側脚１４Ａの縦部分２１に、前記展開状態（図２に示す）において、縦枠材１３を回動不能に固定する固定手段２４が設けられる。この固定手段２４は、前記孔部２１ｈのベッド長さ方向の内側で縦部分２１を貫通する第１孔部２４ａ、前記展開状態において第１孔部２４ａと連通し、かつ縦枠材１３を貫通する第２孔部２４ｂ、及び第１孔部２４ａと第２孔部２４ｂとの中に取り外し可能に挿入されるピン２４ｃを含む。
【００４４】
このような固定手段２４は、前記展開状態（図２に示す）において、ピン２４ｃが第１孔部２４ａ及び第２孔部２４ｂに挿入されることにより、縦枠材１３の縦部分２１に対する回動を阻止できる。従って、固定手段２４は、前記展開状態を安定して維持するのに役立つ。
【００４５】
前記横部分２２は、前記縦部分２１が固着される上面２２ａ、及び該上面２２ａのベッド幅方向の両端から下方にのびる一対の側面２２ｂ、２２ｂを含み、断面略コ字状に形成される。さらに、横部分２２には、そのベッド長さ方向の両端に、一対の側面２２ｂ、２２ｂに把持され、かつ水平軸回りに回動自在に枢支される一対の車輪２５、２５が設けられる。
【００４６】
これにより、横部分２２は、一対の車輪２５、２５がベッド長さ方向に大きく離間して配置されるため、ベッド１の荷重を安定して支持しうる。さらに、車輪２５、２５は、一対の側面２２ｂ、２２ｂに把持されるため、ベッド幅方向にブレることなく、ベッド長さ方向にのみ転動できる。これにより、使用者は、前記展開状態（図２に示す）と前記収納状態（図３に示す）との間の折畳み・展開操作を、スムーズかつ軽快に行うことができる。
【００４７】
さらに、本実施形態では、一対の側面２２ｂ、２２ｂに、一対の車輪２５、２５間で上方に凹む凹部２６が設けられる。このような凹部２６は、一対の車輪２５、２５をベッド長さ方向に大きく離間させつつ、横部分２２を軽量化することができ、ベッド質量を低減しうる。
【００４８】
前記継ぎ材１８は、例えば、断面略円形状の金属管から形成される。この継ぎ材１８は、第１、第２縦枠材１３Ａ、１３Ｂよりも下方に配置され、かつその両端が、一対の端側脚本体１７、１７の各縦部分２１、２１に固着される。また、継ぎ材１８には、ベッド幅方向の中央に、上方に立ち上がる立上片１８ｐが設けられる。この立上片１８ｐには、ベッド幅方向に貫通する孔部１８ｈが設けられる。
【００４９】
このような継ぎ材１８は、一対の端側脚本体１７、１７を一体に固定することができる。従って、継ぎ材１８は、第１、第２端側脚１４Ａ、１４Ｂの強度を向上させることができるとともに、一対の端側脚本体１７、１７の回動に対して同期をとることができるため、前記展開状態（図２に示す）と前記収納状態（図３に示す）との間の折畳み・展開操作を、スムーズに行うことができる。
【００５０】
図６に示されるように、前記連結部３は、第１縦枠材１３Ａ及び第２縦枠材１３Ｂの各内端１３ｉ、１３ｉを折り畳み可能に連結する一対の枢結部３１、３１と、該一対の枢結部３１、３１を連結するとともに下方にのびて床面に接地する一対の中間脚３２と、該一対の枢結部３１、３１からベッド幅方向外側に突出する一対のハンドル３３、３３とを含む。
【００５１】
前記各枢結部３１は、第１、第２縦枠材１３Ａ、１３Ｂの各下面１３ｂ側に配置される下枢結部３１Ａと、各上面１３ａ側に配置される上枢結部３１Ｂとを含む。
【００５２】
前記下枢結部３１Ａは、前記中間脚３２から上方へ突出し、かつベッド幅方向で離間して配置される一対の一対の側板部３１Ａｂ、３１Ａｂからなる。
【００５３】
一対の側板部３１Ａｂ、３１Ａｂは、第１、第２縦枠材１３Ａ、１３Ｂのベッド幅方向の両側を覆って配置される。さらに、一対の側板部３１Ａｂ、３１Ａｂには、そのベッド長さ方向の両側に、ベッド幅方向で連通する一対の孔部３１Ａｈ、３１Ａｈが設けられる。この孔部３１Ａｈ、３１Ａｈは、第１、第２縦枠材１３Ａ、１３Ｂの前記各内側孔部１３ｇ、１３ｇと連通する。
【００５４】
前記上枢結部３１Ｂは、前記展開状態において、第１、第２縦枠材１３Ａ、１３Ｂの各上面１３ａを覆う上板部３１Ｂａ、及び該上板部３１Ｂａのベッド幅方向両端から下方にのびる一対の側板部３１Ｂｂ、３１Ｂｂを含み、略コ字状に形成される。
【００５５】
この一対の側板部３１Ｂｂ、３１Ｂｂは、第１、第２縦枠材１３Ａ、１３Ｂ及び下枢結部３１Ａを、ベッド幅方向の両側で覆って配置される。また、一対の側板部３１Ｂｂ、３１Ｂｂには、下枢結部３１Ａの各孔部３１Ａｈ、３１Ａｈ、及び第１、第２縦枠材１３Ａ、１３Ｂの前記各内側孔部１３ｇ、１３ｇと連通する一対の孔部３１Ｂｈ、３１Ｂｈが設けられる。
【００５６】
このような枢結部３１は、上枢結部３１Ｂの各孔部３１Ｂｈ、３１Ｂｈ、下枢結部３１Ａの各孔部３１Ａｈ、３１Ａｈ及び第１、第２縦枠材１３Ａ、１３Ｂの各内側孔部１３ｇ、１３ｇに、ボルト３５ａ及びナット３５ｂ等から構成される一対の水平軸３５、３５がそれぞれ挿入される。これにより、枢結部３１は、第１、第２縦枠材１３Ａ、１３Ｂを、前記展開状態（図２に示す）と前記収納状態（図３に示す）との間で水平軸回りに回動自在に枢支できる。
【００５７】
また、下枢結部３１Ａ及び上枢結部３１Ｂは、第１、第２縦枠材１３Ａ、１３Ｂの上面１３ａ及び一対の側面１３ｃ、１３ｃを覆って強固に把持できるため、就寝時や、前記展開状態と前記収納状態との間の折畳み・展開操作において生じがちなグラつきを抑制でき、連結強度を高めうる。
【００５８】
前記中間脚３２は、前記一対の枢結部３１から床面側にのびる一対の中間脚本体３６、３６と、該中間脚本体を継ぐ継ぎ材３７からなる。
【００５９】
前記一対の中間脚本体３６、３６は、一対の下枢結部３１Ａ、３１Ａからそれぞれベッド幅方向内側にのびる横部分３６ａと、該横部分３６ａに連なりかつ下方にのびる縦部分３６ｂとが滑らかな円弧で接続された曲げ材から形成される。また、縦部分３６ｂの下端には、滑り止めようのゴム脚３６ｂｇが設けられている。
【００６０】
このような一対の中間脚本体３６、３６は、縦部分３６ｂが、第１、第２縦枠材１３Ａ、１３Ｂよりもベッド幅方向内側に配置されるため、例えば、図３に示される収納状態において、第１縦枠材１３Ａと該中間脚本体３６との間、及び第２縦枠材１３Ｂと該中間脚本体３６との間に、使用者の腕や指が挟まれるのを防ぎ、安全性を向上できる。
【００６１】
前記継ぎ材３７は、例えば、断面略円形状の金属管から形成される。この継ぎ材３７は、第１、第２縦枠材１３Ａ、１３Ｂよりも下方に配置され、かつその両端が、前記一対の中間脚本体３６、３６の各縦部分３６ｂに固着される。
【００６２】
また、継ぎ材３７には、そのベッド幅方向の中央から上方に立ち上がり、かつベッド長さ方向の両側に突出する立上片３７ｐが設けられる。この立上片３７ｐには、その両端に、ベッド幅方向に貫通する一対の孔部３７ｈ、３７ｈが設けられる。
【００６３】
このような継ぎ材３７は、一対の中間脚本体３６、３６を一体に固定することができる。従って、継ぎ材３７は、中間脚３２の強度を向上させることができるとともに、各中間脚本体３６、３６がそれぞれ独立して揺動するのを防ぐことができるため、前記展開状態（図２に示す）を安定して維持することができる。さらに、本実施形態では、一対の中間脚本体３６、３６間を、１本の継ぎ材３７のみで連結しているため、従来のベッドに比べて部品点数を削減しうる。
【００６４】
図１及び図２に示されるように、第１端側脚１４Ａと中間脚３２との間に、第１縦枠材１３Ａと実質的に平行にのびる第１リンク４１Ａが掛け渡される。
【００６５】
図５及び図６に示されるように、この第１リンク４１Ａは、バネ弾性を有しないロッドからなる。また、第１リンク４１Ａの両端には、水平面内において、ベッド長さ方向の内側に折り曲げられたフック４１Ａｆ、４１Ａｆが設けられる。
【００６６】
このフック４１Ａｆ、４１Ａｆは、前記継ぎ材１８の各孔部１８ｈ（図５に示す）、及び前記継ぎ材３７の孔部３７ｈ（図６に示す）に、水平軸回りに回動可能に枢支される。これにより、図２に示されるように、第１リンク４１Ａは、第１端側脚１４Ａ、中間脚３２、及び第１縦枠材１３Ａとともに、平行リンク機構を形成できる。
【００６７】
また、図１及び図２に示されるように、第２端側脚１４Ｂと前記中間脚３２との間には、第２縦枠材１３Ｂと実質的に平行にのびる第２リンク４１Ｂが掛け渡される。
【００６８】
図５及び図６に示されるように、この第２リンク４１Ｂも、第１リンク４１Ａと同様にロッドからなり、その両端にフック４１Ｂｆ、４１Ｂｆが設けられる。このフック４１Ｂｆは、前記継ぎ材１８の孔部１８ｈ（図５に示す）、及び前記継ぎ材３７の孔部３７ｈ（図６に示す）に、水平軸回りに回動可能に枢支される。これにより、図２に示されるように、第２リンク４１Ｂは、第２端側脚１４Ｂ、中間脚３２、及び第２縦枠材１３Ｂとともに、平行リンク機構を形成できる。
【００６９】
図７に示されるように、第１リンク４１Ａ及び第２リンク４１Ｂは、前記展開状態（図２に示す）と前記収納状態（図３に示す）との間で、中間脚３２、第１端側脚１４Ａ、及び第２端側脚１４Ｂを平行（垂直方向）に維持することができるため、前記折畳み・展開操作を安定して行うことができる。
【００７０】
また、第１リンク４１Ａ及び第２リンク４１Ｂは、従来の引張バネと比べて、その構造を簡素化できるため、ベッド質量及び製造コストを低減しうる。しかも、第１リンク４１Ａ及び第２リンク４１Ｂは、従来のように、引張バネの付勢によって、端側脚１４が床から離間して跳ね上がることもないため、前記折畳み・展開操作をより安定して行うことができる。
【００７１】
図６に示されるように、前記一対のハンドル３３、３３は、中間脚本体３６の横部分３６ａの下端に固着され、かつベッド幅方向外側にのびる略リング状に形成される。このようなハンドル３３は、使用者が把持することにより、前記折畳み・展開操作を、容易かつ安全に行なうことができる。
【００７２】
以上、本考案の特に好ましい実施形態について詳述したが、本考案は図示の実施形態に限定されることなく、種々の態様に変形して実施しうる。
【符号の説明】
【００７３】
１      折畳みベッド
２Ａ    第１寝台部
２Ｂ    第２寝台部
５Ａ    第１マット部
５Ｂ    第２マット部
６Ａ    第１ベッド枠
６Ｂ    第２ベッド枠
８      剛性フレーム枠
１３      縦枠材
【図１】
0003175230.tif 000003
【図２】
0003175230.tif 000004
【図３】
0003175230.tif 000005
【図４】
0003175230.tif 000006
【図５】
0003175230.tif 000007
【図６】
0003175230.tif 000008
【図７】
0003175230.tif 000009